(57)【要約】【課題】チェックシートの表示形式が異なっても携帯端末で点検結果を入力可能にする。【解決手段】センターサーバ４とデータを遣り取りする携帯端末５を備え、センターサーバ４は、入力された点検データＤｔを表示形式が異なる電子形式のチェックシートＣｅと帳票形式のチェックシートＣｒに変換して設備と関連付けしデータベースに登録するとともに、センターサーバ４で作業員Ｗが設備を特定すると、センターサーバ４は、対象設備のチェックシートＣｅ、Ｃｒを検索して携帯端末５に転送し、携帯端末５には、表示形式が異なるリスト形式チェックシートＣｅと帳票イメージのチェックシートＣｒ−ｉが切り替え自在に表示される。作業員Ｗは選択したチェックシートＣｅ、Ｃｒ−ｉに対し点検結果Ｒ、ｒを入力した後、携帯端末５を持ち帰りセンターサーバ４に転送する。【選択図】図２
2015049828.tif 000002
【特許請求の範囲】
【請求項１】
予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、
携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成されるとともに、
作業員が入力手段により点検対象設備の特定情報を入力すると、当該点検対象設備特定情報に基づいて設備の点検データを検索して表示手段に表示形式が異なるチェックシートを選択的に表示させ、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録することを特徴とする作業支援システム。
【請求項２】
管理センター側に設けられたセンターサーバと、このセンターサーバと有線または無線により電気的に接続され作業員により操作され持ち運び可能な携帯端末とを備え、
センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、
携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、
作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録することを特徴とする作業支援システム。
【請求項３】
管理センター側に設けられたセンターサーバと、このセンターサーバと通信によりデータを遣り取り可能に接続され作業員により操作され持ち運び可能な携帯端末とを備え、
センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、
携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、
作業員が携帯端末を通じて点検対象設備を特定する特定情報をセンターサーバに送信すると、センターサーバは当該点検対象設備の点検データを検索して該当する表示形式が異なるチェックシートを携帯端末に送信し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録することを特徴とする作業支援システム。
【請求項４】
点検データ共有化手段は、点検データを予め登録された帳票テンプレートに基づいてチェックシートを二次元の座標データに変換して関連付けするとともに表示手段に帳票イメージで表示される帳票形式チェックシートを作成し、設備の点検項目が電子情報で記載されたリスト形式で表示されるリスト形式チェックシートと帳票イメージで表示される帳票形式チェックシートとを表示形式が異なるチェックシートとして一元化して登録するとともに、登録手段は、表示された帳票イメージのチェックシートの点検項目に点検結果が入力されると、帳票形式チェックシートの点検項目に点検結果を反映させて点検結果データとして登録することを特徴とする請求項１ないし３のうちいずれか１に記載の作業支援システム。
【請求項５】
センターサーバは、携帯端末から点検結果が書き込まれたチェックシートが送られてくると、帳票イメージで表示して印刷することを特徴とする請求項２ないし４のうちいずれか１に記載の作業支援システム。
【請求項６】
センターサーバは、携帯端末から点検結果が書き込まれたチェックシートが送られてくると、入力手段により電子承認を付与し電子承認が付与されたチェックシートを外部に送信する電子承認手段を有することを特徴とする請求項２ないし５のうちいずれか１に記載の作業支援システム。
【請求項７】
センターサーバは、データベースに登録された点検データまたは点検結果データに対し、管理者からの指示に基づき点検項目の増減または点検順序の並び替えを可能にする電子編集手段を有し、登録手段は電子編集手段により編集されたチェックシートをデータベースに登録することを特徴とする請求項２ないし６のうちいずれか１に記載の作業支援システム。
【請求項８】
携帯端末は、撮像手段を備えて構成され、
携帯端末に表示されたチェックシートには、入力部により入力されたメモ、撮像手段により撮影または録画された写真または動画のうち少なくともいずれか１が添付されることを特徴とする請求項１ないし７のうちいずれか１に記載の作業支援システム。
【請求項９】
センターサーバには、外部から通信を通じて施設の設備に関する点検データが入力されることを特徴とする請求項２または３に記載の作業支援システム。
【請求項１０】
予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、
携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成され、
施設の設備に関する点検データが入力されると、点検データ共有化手段によりこの点検データを表示形式が異なるチェックシートに変換して関連付けし登録手段を通じて記憶手段に予め登録する第１のステップと、
作業員が入力手段により点検対象設備の特定情報を入力すると、チェックシート検索手段により当該点検対象設備特定情報に基づいて設備の点検データを検索して表示手段に表示形式が異なるチェックシートを選択的に表示させる第２のステップと、
作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録する第３のステップとを有することを特徴とする作業支援方法。
【請求項１１】
管理センター側に設けられたセンターサーバと、このセンターサーバと有線または無線により電気的に接続され作業員により操作され持ち運び可能な携帯端末とを備え、
センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、
携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、
センターサーバに施設の設備に関する点検データが入力されると、点検データ共有化手段によりこの点検データを表示形式が異なるチェックシートに変換して関連付けし登録手段を通じてデータベースに予め登録する第１のステップと、
作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、携帯端末に表示形式が異なるチェックシートを切り替え自在に表示させる第２のステップと、
作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録する第３のステップとを有することを特徴とする作業支援方法。
【請求項１２】
管理センター側に設けられたセンターサーバと、このセンターサーバと通信によりデータを遣り取り可能に接続され作業員により操作され持ち運び可能な携帯端末とを備え、
センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、
携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、
センターサーバに施設の設備に関する点検データが入力されると、点検データ共有化手段によりこの点検データを表示形式が異なるチェックシートに変換して関連付けし登録手段を通じてデータベースに予め登録する第１のステップと、
作業員が携帯端末を通じて点検対象設備を特定する特定情報をセンターサーバに送信すると、センターサーバにより当該点検対象設備の点検データを検索して該当する表示形式が異なるチェックシートを携帯端末に送信し、携帯端末に表示形式が異なるチェックシートを切り替え自在に表示させる第２のステップと、
作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録する第３のステップとを有することを特徴とする作業支援方法。
【請求項１３】
第１のステップで、センターサーバに外部から通信を通じて施設の設備に関する点検データが入力されることを特徴とする請求項１０ないし１２のうちいずれか１に記載の作業支援方法。
【発明の詳細な説明】
【技術分野】
【０００１】
本発明は、施設の設備を点検する点検作業や保守作業を支援する作業支援システムとその方法に関するものである。
【背景技術】
【０００２】
従来、施設の設備を点検し、保守を行う際には、施設や設備毎に異なる帳票（点検シート）に作業者が書き込んで持ち帰りデータベースに転記したり、携帯タイプの端末装置に表示され電子化された電子情報により書き込まれる項目別リストに入力してメモリを持ち帰ったり、通信を通じて管理センターに点検結果を送信するようにしていた（例えば、特許文献１参照）。
【先行技術文献】
【特許文献】
【０００３】
【特許文献１】特開平５−２１７０９１号公報
【発明の概要】
【発明が解決しようとする課題】
【０００４】
特許文献１に記載の作業支援システムでは、予め電子データ化された項目別のリスト形式のチェックシートがポータブル端末装置にインストールされており、現場の作業員はリスト形式のチェックシートに入力を行うだけで、センター側で情報の処理を行うようになっている。しかしながら、現在でも紙による帳票（点検シート）を用いて点検保守を行う設備が数多くあり、作業の効率化を妨げているという問題がある。また、現場の作業員には、使い慣れた帳票の点検シートの方が点検結果を書き込みやすく、不慣れなリスト形式の点検シートでは、入力に手間取るという問題がある。
【０００５】
本発明は上記課題を解決するためになされたもので、設備の点検項目が記載されたチェックシートが表示形式が異なる紙による帳票タイプのであっても、電子データ化されたリスト形式のタイプであっても携帯端末で自在に切り替えて点検結果を入力可能にした作業支援システムとその方法を提供することを目的とする。
【課題を解決するための手段】
【０００６】
本発明の請求項１に係る作業支援システムは、予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成されるとともに、作業員が入力手段により点検対象設備の特定情報を入力すると、当該点検対象設備特定情報に基づいて設備の点検データを検索して表示手段に表示形式が異なるチェックシートを選択的に表示させ、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録することを特徴とするものである。
【０００７】
本発明の請求項１に係る作業支援システムでは、予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成されるとともに、作業員が入力手段により点検対象設備の特定情報を入力すると、当該点検対象設備特定情報に基づいて設備の点検データを検索して表示手段に表示形式が異なるチェックシートを選択的に表示させ、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録するようにしたことにより、作業員が入力手段により点検対象設備の特定情報を入力すると、当該点検対象設備特定情報に基づいて設備の点検データを検索して表示手段に表示形式が異なるチェックシートを選択的に表示させることができるので、作業員は所望の表示形式のチェックシートを表示手段に表示させて、点検結果を入力することができる。このため、帳票形式に慣れた作業員でも容易に点検結果を入力することができ、作業し易くなる。しかも、点検結果は一元化された点検結果データとして記憶手段に登録されるので、情報処理の作業が効率化される。
【０００８】
本発明の請求項２に係る作業支援システムは、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録することを特徴とするものである。
【０００９】
本発明の請求項２に係る作業支援システムでは、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録するようにしたことにより、作業員は管理センターのセンターサーバを通じて点検対象設備を特定する特定情報を入力すると、センターサーバは当該点検対象設備の点検データを検索して該当する表示形式が異なる各チェックシートを携帯端末に転送して選択的に表示させることができるので、作業員はその携帯端末を点検予定の設備まで持ち運び、所望の表示形式のチェックシートを表示させて、点検結果を入力することができる。このため、帳票形式に慣れた作業員でも容易に点検結果を入力することができ、作業し易くなる。しかも、点検結果は一元化された点検結果データとしてデータベースに登録されるので、情報処理の作業が効率化される。
【００１０】
本発明の請求項３に係る作業支援システムは、管理センター側に設けられたセンターサーバと、このセンターサーバと通信によりデータを遣り取り可能に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、作業員が携帯端末を通じて点検対象設備を特定する特定情報をセンターサーバに送信すると、センターサーバは当該点検対象設備の点検データを検索して該当する表示形式が異なるチェックシートを携帯端末に送信し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録することを特徴とするものである。
【００１１】
本発明の請求項３に係る作業支援システムでは、管理センター側に設けられたセンターサーバと、このセンターサーバと通信によりデータを遣り取り可能に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、作業員が携帯端末を通じて点検対象設備を特定する特定情報をセンターサーバに送信すると、センターサーバは当該点検対象設備の点検データを検索して該当する表示形式が異なるチェックシートを携帯端末に送信し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録するようにしたことにより、作業員は管理センターであっても点検対象の設備であっても外部のどこからでも、携帯端末を通じて点検対象設備を特定する特定情報を入力して、センターサーバに特定情報を送信すると、センターサーバは当該点検対象設備の点検データを検索して該当する表示形式が異なる各チェックシートを携帯端末に送信して選択的に表示させることができるので、作業員は管理センターに足を運ばなくとも、その携帯端末を点検予定の設備まで持ち運び、所望の表示形式のチェックシートを表示させて、点検結果を入力することができる。このため、帳票形式に慣れた作業員でも容易に点検結果を入力することができ、作業し易くなる。しかも、点検結果は一元化された点検結果データとしてデータベースに登録されるので、情報処理の作業が効率化される。
【００１２】
本発明の請求項４に係る作業支援システムは、点検データ共有化手段は、点検データを予め登録された帳票テンプレートに基づいてチェックシートを二次元の座標データに変換して関連付けするとともに表示手段に帳票イメージで表示される帳票形式チェックシートを作成し、設備の点検項目が電子情報で記載されたリスト形式で表示されるリスト形式チェックシートと帳票イメージで表示される帳票形式チェックシートとを表示形式が異なるチェックシートとして一元化して登録するとともに、登録手段は、表示された帳票イメージのチェックシートの点検項目に点検結果が入力されると、帳票形式チェックシートの点検項目に点検結果を反映させて点検結果データとして登録することを特徴とするものである。
【００１３】
本発明の請求項５に係る作業支援システムは、センターサーバは、携帯端末から点検結果が書き込まれたチェックシートが送られてくると、帳票イメージで表示して印刷することを特徴とするものである。
【００１４】
本発明の請求項６に係る作業支援システムは、センターサーバは、携帯端末から点検結果が書き込まれたチェックシートが送られてくると、入力手段により電子承認を付与し電子承認が付与されたチェックシートを外部に送信する電子承認手段を有することを特徴とするものである。
【００１５】
本発明の請求項７に係る作業支援システムは、センターサーバは、データベースに登録された点検データまたは点検結果データに対し、管理者からの指示に基づき点検項目の増減または点検順序の並び替えを可能にする電子編集手段を有し、登録手段は電子編集手段により編集されたチェックシートをデータベースに登録することを特徴とするものである。
【００１６】
本発明の請求項８に係る作業支援システムは、携帯端末は、撮像手段を備えて構成され、携帯端末に表示されたチェックシートには、入力部により入力されたメモ、撮像手段により撮影または録画された写真または動画のうち少なくともいずれか１が添付されることを特徴とするものである。
【００１７】
本発明の請求項９に係る作業支援システムは、センターサーバには、外部から通信を通じて施設の設備に関する点検データが入力されることを特徴とするものである。
【００１８】
本発明の請求項１０に係る作業支援方法は、予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成され、施設の設備に関する点検データが入力されると、点検データ共有化手段によりこの点検データを表示形式が異なるチェックシートに変換して関連付けし登録手段を通じて記憶手段に予め登録する第１のステップと、作業員が入力手段により点検対象設備の特定情報を入力すると、チェックシート検索手段により当該点検対象設備特定情報に基づいて設備の点検データを検索して表示手段に表示形式が異なるチェックシートを選択的に表示させる第２のステップと、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録する第３のステップとを有することを特徴とするものである。
【００１９】
本発明の請求項１０に係る作業支援方法では、予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成され、施設の設備に関する点検データが入力されると、点検データ共有化手段によりこの点検データを表示形式が異なるチェックシートに変換して関連付けし登録手段を通じて記憶手段に予め登録する第１のステップと、作業員が入力手段により点検対象設備の特定情報を入力すると、チェックシート検索手段により当該点検対象設備特定情報に基づいて設備の点検データを検索して表示手段に表示形式が異なるチェックシートを選択的に表示させる第２のステップと、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録する第３のステップとを有するようにしたことにより、作業員が入力手段により点検対象設備の特定情報を入力すると、当該点検対象設備特定情報に基づいて設備の点検データを検索して表示手段に表示形式が異なるチェックシートを選択的に表示させることができるので、作業員は所望の表示形式のチェックシートを表示手段に表示させて、点検結果を入力することができる。このため、帳票形式に慣れた作業員でも容易に点検結果を入力することができ、作業し易くなる。しかも、点検結果は一元化された点検結果データとして記憶手段に登録されるので、情報処理の作業が効率化される。
【００２０】
本発明の請求項１１に係る作業支援方法は、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、センターサーバに施設の設備に関する点検データが入力されると、点検データ共有化手段によりこの点検データを表示形式が異なるチェックシートに変換して関連付けし登録手段を通じてデータベースに予め登録する第１のステップと、作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、携帯端末に表示形式が異なるチェックシートを切り替え自在に表示させる第２のステップと、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録する第３のステップとを有することを特徴とするものである。
【００２１】
本発明の請求項１１に係る作業支援方法では、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、センターサーバに施設の設備に関する点検データが入力されると、点検データ共有化手段によりこの点検データを表示形式が異なるチェックシートに変換して関連付けし登録手段を通じてデータベースに予め登録する第１のステップと、作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、携帯端末に表示形式が異なるチェックシートを切り替え自在に表示させる第２のステップと、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録する第３のステップとを有するようにしたことにより、作業員は管理センターのセンターサーバを通じて点検対象設備を特定する特定情報を入力すると、センターサーバは当該点検対象設備の点検データを検索して該当する表示形式が異なる各チェックシートを携帯端末に転送して選択的に表示させることができるので、作業員はその携帯端末を点検予定の設備まで持ち運び、所望の表示形式のチェックシートを表示させて、点検結果を入力することができる。このため、帳票形式に慣れた作業員でも容易に点検結果を入力することができ、作業し易くなる。しかも、点検結果は一元化された点検結果データとしてデータベースに登録されるので、情報処理の作業が効率化される。
【００２２】
本発明の請求項１２に係る作業支援方法は、管理センター側に設けられたセンターサーバと、このセンターサーバと通信によりデータを遣り取り可能に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、センターサーバに施設の設備に関する点検データが入力されると、点検データ共有化手段によりこの点検データを表示形式が異なるチェックシートに変換して関連付けし登録手段を通じてデータベースに予め登録する第１のステップと、作業員が携帯端末を通じて点検対象設備を特定する特定情報をセンターサーバに送信すると、センターサーバにより当該点検対象設備の点検データを検索して該当する表示形式が異なるチェックシートを携帯端末に送信し、携帯端末に表示形式が異なるチェックシートを切り替え自在に表示させる第２のステップと、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録する第３のステップとを有することを特徴とするものである。
【００２３】
本発明の請求項１２に係る作業支援方法では、管理センター側に設けられたセンターサーバと、このセンターサーバと通信によりデータを遣り取り可能に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、センターサーバに施設の設備に関する点検データが入力されると、点検データ共有化手段によりこの点検データを表示形式が異なるチェックシートに変換して関連付けし登録手段を通じてデータベースに予め登録する第１のステップと、作業員が携帯端末を通じて点検対象設備を特定する特定情報をセンターサーバに送信すると、センターサーバにより当該点検対象設備の点検データを検索して該当する表示形式が異なるチェックシートを携帯端末に送信し、携帯端末に表示形式が異なるチェックシートを切り替え自在に表示させる第２のステップと、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録する第３のステップとを有するようにしたことにより、作業員は管理センターであっても点検対象の設備であっても外部のどこからでも、携帯端末を通じて点検対象設備を特定する特定情報を入力して、センターサーバに特定情報を送信すると、センターサーバは当該点検対象設備の点検データを検索して該当する表示形式が異なる各チェックシートを携帯端末に送信して選択的に表示させることができるので、作業員は管理センターに足を運ばなくとも、その携帯端末を点検予定の設備まで持ち運び、所望の表示形式のチェックシートを表示させて、点検結果を入力することができる。このため、帳票形式に慣れた作業員でも容易に点検結果を入力することができ、作業し易くなる。しかも、点検結果は一元化された点検結果データとしてデータベースに登録されるので、情報処理の作業が効率化される。
【００２４】
本発明の請求項１３に係る作業支援方法は、第１のステップで、センターサーバに外部から通信を通じて施設の設備に関する点検データが入力されることを特徴とするものである。
【発明の効果】
【００２５】
本発明の請求項１に係る作業支援システムは、予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成されるとともに、作業員が入力手段により点検対象設備の特定情報を入力すると、当該点検対象設備特定情報に基づいて設備の点検データを検索して表示手段に表示形式が異なるチェックシートを選択的に表示させ、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録するようにしたので、点検対象設備のチェックシートがたとえ表示形式が異なる紙に書き込む帳票タイプであっても、電子情報で記載されたリスト形式のタイプであっても、携帯端末の画面を自在に切り替えて表示し点検結果を入力することができ、作業を容易に行うことができる。また、点検結果は一元化された点検結果データとして登録されるので、情報処理の作業が効率化される。
【００２６】
本発明の請求項２に係る作業支援システムは、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録するようにしたので、チェックシートをセンターサーバから携帯端末に転送すると、点検対象設備のチェックシートがたとえ表示形式が異なる紙に書き込む帳票タイプであっても、電子情報で記載されたリスト形式のタイプであっても、携帯端末の画面を自在に切り替えて表示し点検結果を入力することができ、作業を容易に行うことができる。また、点検結果は一元化された点検結果データとしてデータベースに登録されるので、情報処理の作業が効率化される。
【００２７】
本発明の請求項３に係る作業支援システムは、管理センター側に設けられたセンターサーバと、このセンターサーバと通信によりデータを遣り取り可能に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、作業員が携帯端末を通じて点検対象設備を特定する特定情報をセンターサーバに送信すると、センターサーバは当該点検対象設備の点検データを検索して該当する表示形式が異なるチェックシートを携帯端末に送信し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録するようにしたので、管理センターの外部のどこからでも、点検対象設備のチェックシートがたとえ表示形式が異なる紙に書き込む帳票タイプであっても、電子情報で記載されたリスト形式のタイプであっても、携帯端末の画面を自在に切り替えて表示し点検結果を入力することができ、作業を容易に行うことができる。また、点検結果は一元化された点検結果データとしてデータベースに登録されるので、情報処理の作業が効率化される。
【００２８】
本発明の請求項１０に係る作業支援方法は、予め入力された施設の設備に関する点検データと点検データの点検結果を含む設備の管理情報とが登録された記憶手段と、点検データを設備と関連付けするとともに各設備の点検項目が記載されたチェックシートとして登録し、外部からチェックシートの点検結果を受け取ると、チェックシートに点検結果を反映させて点検結果データとして記憶手段にそれぞれ登録する登録手段と、ある設備について登録された表示形式が異なるチェックシートを選択可能に表示する表示手段と、点検対象設備の特定情報が入力されるとともに表示されたチェックシートに点検結果を書き込み可能な入力手段と、登録された管理情報の情報処理を行う中央演算処理装置とを有し作業員により操作され持ち運び可能な携帯端末を備えて構成され、携帯端末は、設備を特定する情報が入力されると、登録された設備情報に基づいて該当するチェックシートを検索して表示手段に表示させるチェックシート検索手段と、点検データが入力されると、この点検データを表示形式が異なるチェックシートに変換して関連付けし登録手段を通じて記憶手段に登録させる点検データ共有化手段とを有して構成され、施設の設備に関する点検データが入力されると、点検データ共有化手段によりこの点検データを表示形式が異なるチェックシートに変換して関連付けし登録手段を通じて記憶手段に予め登録する第１のステップと、作業員が入力手段により点検対象設備の特定情報を入力すると、チェックシート検索手段により当該点検対象設備特定情報に基づいて設備の点検データを検索して表示手段に表示形式が異なるチェックシートを選択的に表示させる第２のステップと、作業員が所望の表示形式のチェックシートを選択すると、当該所望の表示形式のチェックシートを表示手段に表示させ、作業員が表示された所望の表示形式のチェックシートに点検結果を入力し終わると、点検結果が書き込まれたチェックシートを点検結果データとして記憶手段に登録する第３のステップとを有するようにしたので、点検対象設備のチェックシートがたとえ表示形式が異なる紙に書き込む帳票タイプであっても、電子情報で記載されたリスト形式のタイプであっても、携帯端末の画面を自在に切り替えて表示し点検結果を入力することができ、作業を容易に行うことができる。また、点検結果は一元化された点検結果データとして登録されるので、情報処理の作業が効率化される。
【００２９】
本発明の請求項１１に係る作業支援方法は、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、センターサーバに施設の設備に関する点検データが入力されると、点検データ共有化手段によりこの点検データを表示形式が異なるチェックシートに変換して関連付けし登録手段を通じてデータベースに予め登録する第１のステップと、作業員がセンターサーバを通じて点検対象設備を特定する特定情報を入力すると、センターサーバは当該点検対象設備の特定情報に基づいて該当する表示形式が異なるチェックシートを検索してこれら表示形式が異なるチェックシートを携帯端末に転送し、携帯端末に表示形式が異なるチェックシートを切り替え自在に表示させる第２のステップと、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録する第３のステップとを有するようにしたので、チェックシートをセンターサーバから携帯端末に転送すると、点検対象設備のチェックシートがたとえ表示形式が異なる紙に書き込む帳票タイプであっても、電子情報で記載されたリスト形式のタイプであっても、携帯端末の画面を自在に切り替えて表示し点検結果を入力することができ、作業を容易に行うことができる。また、点検結果は一元化された点検結果データとしてデータベースに登録されるので、情報処理の作業が効率化される。
【００３０】
本発明の請求項１２に係る作業支援方法は、管理センター側に設けられたセンターサーバと、このセンターサーバと通信によりデータを遣り取り可能に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段と、携帯端末から点検対象設備の特定情報が入力されると、データベースから当該点検対象設備特定情報に基づいて設備の点検データを検索し登録されたチェックシートを携帯端末に送信するチェックシート送信手段とを有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに送信する点検結果送信手段と、作業員が入力部を通じて点検対象設備の設備を特定する特定情報を入力するとこの特定情報をセンターサーバに送信する点検対象設備特定情報送信手段とを有して構成され、センターサーバに施設の設備に関する点検データが入力されると、点検データ共有化手段によりこの点検データを表示形式が異なるチェックシートに変換して関連付けし登録手段を通じてデータベースに予め登録する第１のステップと、作業員が携帯端末を通じて点検対象設備を特定する特定情報をセンターサーバに送信すると、センターサーバにより当該点検対象設備の点検データを検索して該当する表示形式が異なるチェックシートを携帯端末に送信し、携帯端末に表示形式が異なるチェックシートを切り替え自在に表示させる第２のステップと、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに送信し、センターサーバは受け取った点検結果をチェックシートに反映させて点検結果データとしてデータベースに登録する第３のステップとを有するようにしたので、外部のどこからでも携帯端末を通じてセンターサーバから点検対象設備のチェックシートを受け取ることができ、しかも、点検対象設備のチェックシートがたとえ表示形式が異なる紙に書き込む帳票タイプであっても、電子情報で記載されたリスト形式のタイプであっても、携帯端末の画面を自在に切り替えて表示し点検結果を入力することができ、作業を容易に行うことができる。また、点検結果は一元化された点検結果データとしてデータベースに登録されるので、情報処理の作業が効率化される。
【図面の簡単な説明】
【００３１】
【図１】図１は本発明の第１の実施例に係る作業支援システムを示す概念図である。（実施例１）
【図２】図２は図１の作業支援システムの概念構成図である。
【図３】図３は図１の作業支援システムのシステム構成図である。
【図４】図４は図１の作業支援システムによる作業支援方法の工程を示すフローチャートである。
【図５】図５は表示形式が異なる点検データと共有化の要素を説明する説明する説明図である。
【図６】図６は図１の作業支援システムのデータベースの要素を説明する説明図である。
【図７】図７の（Ａ）、（Ｂ）はそれぞれ、図１の作業支援システムで表示形式が異なるチェックシートを表示させる手順を示す画面遷移図である。
【図８】図８は、本発明の第２の実施例に係る作業支援システムを示す概念図である。（実施例２）
【図９】図９は図８の作業支援システムのシステム構成図である。
【図１０】図１０は図８の作業支援システムによる作業支援方法の工程を示すフローチャートである。
【図１１】図１２は、本発明の第３の実施例に係る作業支援システムのシステム構成図である。（実施例３）
【図１２】図１２は図１１の作業支援システムによる作業支援方法の工程を示すフローチャートである。
【発明を実施するための形態】
【００３２】
設備の点検項目が記載されたチェックシートが紙に記載された帳票タイプであっても、電子情報で記載された項目別リスト形式のタイプであっても携帯端末で自在に切り替えて点検結果を入力可能にするという目的を、管理センター側に設けられたセンターサーバと、このセンターサーバと有線または無線により電気的に接続され作業員により操作され持ち運び可能な携帯端末とを備え、センターサーバは、予め入力された施設の設備に関する点検データと点検データの点検結果を含む設備の管理情報とが登録されたデータベースと、点検データを設備と関連付けするとともに各設備の点検項目が記載されたチェックシートとして登録し、携帯端末からチェックシートの点検結果を受け取ると、チェックシートに点検結果を反映させて点検結果データとして登録する登録手段と、登録された管理情報の情報処理を行う中央演算処理装置とを有するとともに、入力された点検データを表示形式が異なるチェックシートに変換して関連付けし登録手段を通じてデータベースに登録する点検データ共有化手段を有して構成され、携帯端末は、センターサーバから受け取った表示形式が異なるチェックシートを切り替え自在に表示部に表示させる表示切り替え手段と、作業員により入力部を通じて表示部に表示されたチェックシートに点検結果が入力されると、点検結果が書き込まれたチェックシートをセンターサーバに転送する点検結果送信手段とを有して構成され、作業員がセンターサーバを通じて点検対象設備を特定する特定情報を入力すると、センターサーバは当該点検対象設備の点検データを検索して該当する表示形式が異なるチェックシートを携帯端末に転送し、作業員により携帯端末の入力部を通じて所望の表示形式のチェックシートが選択されると、携帯端末の表示部に所望の表示形式のチェックシートを表示させ、作業員が表示された所望の表示形式のチェックシートの点検項目に点検結果を入力し終わると、作業員は点検結果が書き込まれたチェックシートを携帯端末からセンターサーバに転送し、センターサーバは受け取った点検結果をチェックシートに反映させて点検結果データとしてデータベースに登録するよう構成するとともに、点検データ共有化手段は、点検データを予め登録された帳票テンプレートに基づいてチェックシートを二次元の座標データに変換して関連付けするとともに表示手段に帳票イメージで表示される帳票形式チェックシートを作成し、設備の点検項目が電子情報で記載されたリスト形式で表示されるリスト形式チェックシートと帳票イメージで表示される帳票形式チェックシートとを表示形式が異なるチェックシートとして一元化して登録するとともに、登録手段は、表示された帳票イメージのチェックシートの点検項目に点検結果が入力されると、帳票形式チェックシートの点検項目に点検結果を反映させて点検結果データとして登録するようにしたことにより実現した。
【実施例１】
【００３３】
以下、図面に示す実施例により本発明を説明する。本発明の第１の実施例に係る作業支援システム２は、図１および図２に示すように、管理センター３側に設置されたセンターサーバ４と、このセンターサーバ４と有線または無線によりデータを遣り取り可能に接続され持ち運び可能な携帯端末５とを備えて構成される。センターサーバ４は、実行系のメインサーバ４Ａとデータをバックアップする待機系サブサーバ４Ｂとにより構成される。これらサーバ４Ａ、４Ｂはデスクトップ型またはノート型のパソコンから構成され、それぞれ中央演算処理装置（ＣＰＵ）とデータベース（メモリ）６Ａと表示部６Ｂと転送部６Ｃとを備えている（図３参照）。
【００３４】
携帯端末５は、多機能携帯電話（スマートフォン、タブレット型端末）で例えば、アンドロイド（登録商標）端末が用いられる。携帯端末５は、ノート型パソコン等の携帯タイプのパーソナルコンピュータやモバイル端末であってもよい。本実施例に係る携帯端末５は、センターサーバ４と通信を通じてデータを遣り取りする通信機能を備えていなくともよい。携帯端末５は設備の点検現場で作業員Ｗにより操作されるようになっている。携帯端末５は中央演算処理装置（ＣＰＵ）と表示入力部（表示部、入力部）７Ａと記憶部（メモリ）７Ｂと転送部７Ｃとを備えて構成される。表示入力部７Ａはタッチパネルにより構成され、画面に表示された画像に触れることで情報を入力することができるようになっている。また、携帯端末５は撮像部（撮像手段）７Ｄを備え、この撮像部７Ｄは撮影した写真や動画を文書に添付して外部にアップロード（転送）できるようになっている。さらに、携帯端末５は、ＧＰＳの機能を備えていることに加え、作業の予定表や地図情報が予め入力されている。センターサーバ４と携帯端末５とは、電気的に接続されるコード８や無線ＬＡＮカード８Ａによりアクセスポイント９を通じてデータや情報を遣り取り可能に接続される。
【００３５】
センターサーバ４（４Ａ、４Ｂ）には、各施設毎の設備に関する管理情報がデータベース６Ａに記録されている。ここでいう施設とは、例えば、発電所、変電施設、工場、道路、トンネル、橋梁、鉄道、港湾、ダム、上下水道施設といった産業基盤系の社会資本施設だけでなく、ビルやマンション、病院、学校、公園、社会福祉施設など生活関連系の社会資本施設も含む。設備とは、前記施設の目的達成に必要なものをいう。各設備の保守管理は定期的な点検に基づいて行われる。点検は、各設備毎に予め決められた点検項目が記載されたチェックシートに作業員Ｗが確認した点検結果を書き込み、点検結果が書き込まれたチェックシートに基づいて設備の状態を把握するようになっている。
【００３６】
設備のチェックシートには、帳票形式のチェックシートＣｒとリスト形式のチェックシートＣｅとの表示形式が異なる２種類のタイプがある。帳票の形式のチェックシートＣｒは、設備の点検項目が紙の帳票（用紙）に記載され、作業員Ｗが筆記具により点検結果を書き込むようになっている。リスト形式のチェックシートＣｅは、点検項目が電子化された電子情報（例えば、表計算ソフトにより作成されたリスト等）で記載されて携帯端末５の画面に表示され、作業員Ｗが携帯端末５の表示入力部７Ａをタッチすることにより点検結果Ｒを書き込むようになっている。
【００３７】
ところで、本実施例に係るセンターサーバ４は、例えば、管理者Ｍにより施設の設備について点検項目が電子情報で記載された点検データＤｔが入力されると、図２に示すように、この点検データＤｔを予め登録された帳票テンプレートＴｐに基づいてチェックシートを二次元の座標データ（ｘ、ｙ）に変換して関連付けし、帳票イメージのチェックシートＣｒ−ｉで表示される帳票形式チェックシートＣｒを作成して、設備の点検項目が電子情報で記載されたリスト形式で表示されるリスト形式チェックシートＣｅと帳票イメージのチェックシートＣｒ−ｉで表示される帳票形式チェックシートＣｒとをそれぞれ表示形式が異なるチェックシートとして登録部６Ｅを通じてデータベース６Ａに登録する点検データ共有化部（点検データ共有化手段）６Ｄを備えている。ここでいう帳票イメージのチェックシートＣｒ−ｉは、例えば、ＰＤＦのような形式をいう。
【００３８】
センターサーバ４は、管理者Ｍにより入力装置１０を通じて点検データＤｔが入力されると、点検データＤｔを設備の特定情報と関連付けするとともに、点検データ共有化部６Ｄから受け取ったチェックシートＣｅ、Ｃｒ（Ｃｒ−ｉ）を設備と関連付けしてデータベース６Ａに表示形式が異なるチェックシートとして登録する登録部（登録手段）６Ｅを備えている。また、登録部６Ｅは、携帯端末５からリスト形式チェックシートＣｅの点検項目に点検結果Ｒが書き込まれた点検結果入力済みチェックシートＣｅｗを受け取ると、点検結果データＤｔｗ（Ｃｅｗ）としてデータベース６Ａに登録するようになっている。さらに、登録部６Ｅは、携帯端末５から帳票イメージのチェックシートＣｒ−ｉの点検項目に点検結果ｒが書き込まれた点検結果入力済み帳票形式チェックシートＣｒ−ｉｗを受け取ると、帳票イメージのチェックシートＣｒ−ｉに関連付けされた帳票形式チェックシートＣｒに点検結果ｒを反映させて座標データ（ｘ、ｙ）に復元して（Ｃｒ−ｅｗ）、点検結果データＤｔｗ（Ｃｒ−ｅｗ）としてデータベース６Ａに登録するようになっている。すなわち、帳票イメージのチェックシートＣｒ−ｉの点検項目は座標データ（ｘ，ｙ）を介して電子情報で記載された帳票形式チェックシートＣｒの点検項目に対応するようになっており、点検結果ｒが帳票形式チェックシートＣｒに反映されるようになっている。このため、登録部６Ｅは、リスト形式チェックシートＣｅの点検結果データＣｅｗも帳票イメージのチェックシートＣｒ−ｉに関連付けされた帳票形式チェックシートＣｒの点検結果データ（点検結果ｒが反映された帳票形式チェックシートＣｒ−ｉｗを座標データ（ｘ、ｙ）に変換したデータ）Ｃｒ−ｅｗも電子情報で一元化してデータベース６Ａに点検結果データＤｔｗとして登録するようになっている。つまり、点検結果データＣｒ−ｅｗ、Ｃｅｗはいずれも電子情報データとして一元化されてデータベース６Ａに登録される。このように、登録部６Ｅは、点検データ共有化部６Ｄから表示形式が異なるチェックシートＣｅ、Ｃｒを受け取ると、これらチェックシートＣｅ、Ｃｒを点検項目チェックシートとして、設備の特定情報と関連付けしてデータベース６Ａにまず登録し、携帯端末５からリスト形式チェックシートＣｅまたは帳票イメージのチェックシートＣｒ−ｉの点検項目に点検結果Ｒ、ｒが書き込まれた点検結果Ｃｅｗ、Ｃｒ−ｉｗを受け取ると、点検結果Ｃｅｗは点検結果データとしてそのまま、点検結果Ｃｒ−ｉｗは変換された座標データ（ｘ、ｙ）を復元した上で点検結果データＣｒ−ｅｗとして電子情報に一元化し、これらを点検結果データＤｔｗとしてデータベース６Ａに登録するようになっている。こうして、登録部６Ｅは、点検データＤｔの点検結果データＤｔｗを含む設備の管理情報をデータベース６Ａに登録するようになっている。
【００３９】
センターサーバ４のデータベース６Ａは、管理者Ｍにより点検データＤｔが入力されると、点検データ共有化部６Ｄと登録部６Ｅとを通じて点検データ共有化部６Ｄにより作成された帳票形式チェックシートＣｒとリスト形式チェックシートＣｅとが設備と関連付けされて登録されるようになっている。また、データベース６Ａは、携帯端末５から登録部６Ｅを通じて点検結果データＣｅｗまたはＣｒ−ｅｗを受け取ると、電子情報データに一元化された点検結果データＤｔｗとして登録されるようになっている。
【００４０】
携帯端末５の表示入力部７Ａは、センターサーバ４から点検対象の設備について両チェックシートＣｅ、Ｃｒ−ｉがダウンロード（転送）されてくると、表示形式が異なるリスト形式チェックシートＣｅまたは帳票イメージのチェックシートＣｒ−ｉのいずれかを選択的に表示するようになっている。また、携帯端末５は、作業員Ｗにより表示入力部７Ａを通じて形式が異なるチェックシートＣｅ、Ｃｒ−ｉの表示の切り替えを指示する指示情報が入力されると、所望のチェックシートＣｅまたはＣｒ−ｉに表示を切り替える表示切り替え部（表示切り替え手段）７Ｅを備えている。また、携帯端末５は、作業員Ｗにより表示入力部７Ａを通じて表示されたリスト形式チェックシートＣｅまたは帳票イメージのチェックシートＣｒ−ｉの点検項目に点検結果Ｒまたはｒがそれぞれ書き込まれると、点検結果Ｒまたはｒが書き込まれたリスト形式チェックシートＣｅｗまたは帳票形式チェックシートＣｒ−ｉｗをセンターサーバ４にアップロード（転送）する点検結果送信部（点検結果送信手段）７Ｆを備えている。
【００４１】
携帯端末５の記憶部７Ｂは、センターサーバ４から受け取った表示形式が異なるリスト形式チェックシートＣｅと帳票イメージのチェックシートＣｒ−ｉを記憶するとともに、作業員Ｗにより表示入力部７Ａを通じて表示されたリスト形式チェックシートＣｅまたは帳票イメージのチェックシートＣｒ−ｉの点検項目に点検結果Ｒまたはｒが書き込まれると、すでに記憶されているチェックシートＣｅ、Ｃｒ−ｉを点検結果Ｒ、ｒが書き込まれたリスト形式チェックシートＣｅｗ、帳票形式チェックシートＣｒ−ｉｗに更新して記憶し、点検結果Ｒ、ｒが書き込まれたチェックシートＣｅｗ、Ｃｒ−ｉｗがセンターサーバ４にアップロード（転送）されると、これらチェックシートＣｅｗ、Ｃｒ−ｉｗのデータは消去されるようになっている。また、携帯端末５は、表示入力部７Ａを通じて点検結果Ｒ、ｒが書き込まれたチェックシートＣｅｗ、Ｃｒ−ｉｗにメモを書き入れたり、撮像部７Ｄにより撮影された写真や動画を添付することができるようになっている。
【００４２】
センターサーバ４は、登録部６Ｅによりデータベース６Ａに点検結果Ｒが書き込まれた点検結果データ（点検結果Ｒが書き込まれたリスト形式チェックシート）Ｃｅｗまたは点検結果ｒが書き込まれた点検結果データ（点検結果ｒが反映された帳票形式チェックシートＣｒ−ｉｗを座標データ（ｘ、ｙ）により変換したデータ）Ｃｒ−ｅｗを一元化された点検結果データＤｔｗとして登録すると、この点検結果データＤｔｗを外部に送信したり、帳票イメージで印刷することができるようになっている。
【００４３】
センターサーバ４は、携帯端末５から点検結果Ｒ、ｒが書き込まれたチェックシートＣｅｗ、Ｃｒ−ｉｗを点検結果データＤｔｗとして受け取ると、受け取ったチェックシートＣｅｗ、Ｃｒ−ｅｗに電子承認を付与し電子承認が付与されたチェックシートＣｅｗ、Ｃｒ−ｅｗを外部に送信する電子承認部（電子承認手段）６Ｆを有している。
【００４４】
また、センターサーバ４は、データベース６Ａに登録されたチェックシートＣｅ、Ｃｒ、Ｃｅｗ、Ｃｒ−ｅｗに対し、管理者Ｍからの指示に基づき点検項目の増減または点検順序の並び替えを可能にする電子編集部（電子編集手段）６Ｇを有し、登録部６Ｅは電子編集部６Ｇにより編集されたチェックシートＣｅ、Ｃｒ、Ｃｅｗ、Ｃｒ−ｅｗをデータベース６Ａに登録するようになっている。
【００４５】
次に、本発明に係る作業支援方法について、上記第１の実施例に係る作業支援システム２の作用に基づいて説明する。まず、センターサーバ４（４Ａ、４Ｂ）には、予め管理者Ｍにより施設の各設備に関する点検データＤｔが入力される。点検データＤｔは設備毎に異なる点検項目を有している。センターサーバ４に点検データＤｔが入力されると、点検データ共有化部６Ｄは、この点検データＤｔを予め登録された帳票テンプレートＴｐに基づいてチェックシートを二次元の座標データ（ｘ、ｙ）に変換して関連付けし、帳票イメージのチェックシートＣｒ−ｉで表示される帳票形式チェックシートＣｒを作成して、設備の点検項目が電子情報で記載されたリスト形式で表示されるリスト形式チェックシートＣｅと帳票イメージのチェックシートＣｒ−ｉで表示される帳票形式チェックシートＣｒとをそれぞれ表示形式が異なる点検項目チェックシートとして設備情報と関連付けして登録部６Ｅを通じてデータベース６Ａに登録する（図４の第１のステップＳ１参照）。次に、作業員Ｗが管理センター３でセンターサーバ４を通じて点検対象設備を選択して点検対象設備を特定する特定情報を入力すると、センターサーバ４は当該点検対象設備の特定情報に基づいて該当する表示形式が異なるチェックシートＣｅ、Ｃｒを検索してこれら表示形式が異なるチェックシートＣｅ、Ｃｒを携帯端末５にダウンロードする。携帯端末５はセンターサーバ４から表示形式が異なるチェックシートＣｅ、Ｃｒを受け取ると、表示入力部７Ａに電子情報で記載されたリスト形式で表示されるチェックシートＣｅまたは帳票イメージのチェックシートＣｒ−ｉで表示される帳票形式チェックシートＣｒを選択可能に表示させる（図４の第２のステップＳ２、図７の（Ａ）、（Ｂ）参照）。
【００４６】
作業員Ｗが携帯端末５の表示入力部７Ａに表示されたチェックシート切り替え画面で、例えば、リスト形式チェックシートＣｅを用いて点検結果Ｒの入力を希望する場合、図７の（Ａ）に示すように、そのアイコンを選択実行して、画面を遷移させると、点検作業対象設備のリスト形式チェックシートＣｅが表示されるようになっている。一方、図７の（Ｂ）に示すように、帳票イメージのチェックシートＣｒ−ｉを通じて点検結果ｒの入力を希望する場合、そのアイコンを選択実行し、画面を遷移させると、点検作業対象設備の帳票イメージのチェックシートＣｒ−ｉが表示されるようになっている。
【００４７】
次に、携帯端末５に希望したリスト形式チェックシートＣｅを表示させた場合、作業員Ｗは、表示されたリスト形式チェックシートＣｅに対し、点検項目毎の点検結果をタッチペンまたは指でタッチしてチェックシートＣｅに入力すると、点検項目毎に点検された点検結果Ｒがリスト形式チェックシートＣｅに書き込まれ、点検結果の書き込みが完了すると、作業員Ｗは点検結果Ｒが書き込まれたリスト形式チェックシートＣｅｗを携帯端末５の記憶部７Ｂに記憶させる。
【００４８】
一方、携帯端末５に希望した帳票イメージのチェックシートＣｒ−ｉを表示させた場合、作業員Ｗは、表示された帳票イメージのチェックシートＣｒ−ｉに対し、点検項目毎の点検結果をタッチペンまたは指でタッチしてチェックシートＣｒ−ｉの点検項目欄に入力すると、点検項目毎に点検された点検結果ｒが関連付けられた帳票形式チェックシートＣｒに書き込まれ、点検結果の書き込みが完了すると、点検結果ｒが書き込まれた帳票形式チェックシートＣｒ−ｉｗを携帯端末５の記憶部７Ｂに記憶させる。
【００４９】
点検結果が書き込まれたリスト形式チェックシートＣｅｗまたは帳票形式チェックシートＣｒ−ｉｗのいずれか一方を携帯端末５の記憶部７Ｂに記憶させると、作業員Ｗは携帯端末５を点検設備の現場から管理センター３に持ち帰り、携帯端末５から有線または無線を通じて点検結果が書き込まれたリスト形式チェックシートＣｅｗまたは帳票形式チェックシートＣｒ−ｉｗのいずれか一方をセンターサーバ４にアップロードし、センターサーバ４は受け取った点検結果ＣｅｗまたはＣｒ−ｉｗをチェックシートＣｅ、Ｃｒに反映させて一元化された点検結果データＤｔｗ（Ｃｅｗ、Ｃｒ−ｅｗ）としてデータベース６Ａに登録するようになっている（図４の第３のステップＳ３参照）。これら点検結果データＤｔｗ（Ｃｅｗ、Ｃｒ−ｅｗ）はセンターサーバ４の中央演算処理装置により情報処理され、管理センター３の管理者Ｍにより保守管理に供される。
【００５０】
第３のステップＳ３で、作業者ＷがチェックシートＣｅ、Ｃｒ−ｉに点検結果を書き込む際、表示入力部７Ａを通じて点検結果Ｒ、ｒが書き込まれたチェックシートＣｅｗ、Ｃｒ−ｉｗにメモを書き入れたり、撮像部７Ｄにより撮影された写真や動画を添付することができるようになっている。
【００５１】
上記実施例に係る作業支援システム２による作業支援方法は、如上の如く構成されているので、点検対象設備のチェックシートがたとえ表示形式が異なる紙に書き込む帳票タイプであっても、電子情報で記載されたリスト形式のタイプであっても、携帯端末５の画面に選択的に表示されるので、作業者が点検作業に慣れた形式のチェックシートを携帯端末の画面を自在に切り替えて表示させ、点検結果を入力することができ、点検作業を容易に行うことができる。また、点検結果は一元化された点検結果データとして登録されるので、情報処理の作業が効率化される。
【実施例２】
【００５２】
次に、本発明の第２の実施例に係る作業支援システム１０２について説明する。本発明の第２の実施例に係る作業支援システム１０２は、図８および図９に示すように、上記第１の実施例が、管理センター３側に設置されたセンターサーバ４で、作業者Ｗがこのセンターサーバ４を通じて点検対象設備を選択し、選択され特定された設備の特定情報に基づいてセンターサーバ４が無線または有線によりチェックシートＣｅ、Ｃｒを携帯端末５にダウンロードし、作業者Ｗがいずれか一方のチェックシートＣｅ、Ｃｒに点検結果Ｃｅｗ、Ｃｒ−ｉｗを書き込むと、携帯端末５を管理センター３に持ち帰り、点検結果Ｃｅｗ、Ｃｒ−ｉｗをセンターサーバ４にアップロードして登録するようにしているのに対し、管理センター３側に設置されたセンターサーバ１０４と、このセンターサーバ１０４と通信によりデータを遣り取り可能に接続された携帯端末１０５とを備えて構成し、作業者Ｗが管理センター３から離れた場所で、携帯端末１０５を通じて点検対象設備を選択し、選択され特定された設備の特定情報をセンターサーバ１０４に送信すると、センターサーバ１０４は受け取った設備の特定情報に基づいて、チェックシートＣｅ、Ｃｒを検索して携帯端末１０５に送信し、携帯端末１０５では、表示形式が異なるチェックシートＣｅ、Ｃｒを選択的に表示させ、所望の形式のチェックシートに点検結果Ｒ、ｒを書き込むと、書き込まれた点検結果Ｃｅｗ、Ｃｒ−ｉｗをセンターサーバ１０４に送信するようにした点が異なっている。すなわち、作業者Ｗが、管理センター３まで行かなくとも、例えば、点検作業対象設備の設置場所でチェックシートを入手することができる。
【００５３】
すなわち、本発明の第２の実施例に係る作業支援システム１０２は、管理センター側に設けられたセンターサーバ１０４と、このセンターサーバ１０４と通信によりデータを遣り取り可能に接続され作業員Ｗにより操作され持ち運び可能な携帯端末１０５とを備えて構成される。センターサーバ１０４は、中央演算処理装置（ＣＰＵ）とデータベース（メモリ）１０６Ａと表示部１０６Ｂと通信部１０６Ｃとを備えている（図９参照）。また、センターサーバ１０４は、点検データ共有化部（点検データ共有化手段）１０６Ｄと登録部（登録手段）１０６Ｅと電子承認部１０６Ｆと電子編集部１０６Ｇとチェックシート送信部（チェックシート送信手段）１０６Ｈとを有している。登録部１０６Ｅは、上記実施例と同様に、点検データＤｔを設備と関連付けするとともに各設備の点検項目が記載された表示形式が異なるチェックシートＣｅ、Ｃｒとして登録し、携帯端末１０５からチェックシートＣｅ、Ｃｒ−ｉの点検結果Ｃｅｗ、Ｃｒ−ｉｗを受け取ると、チェックシートＣｅ、Ｃｒに点検結果Ｃｅｗ、Ｃｒ−ｉｗを反映させて一元化された点検結果データＤｔｗ（Ｃｅｗ、Ｃｒ−ｅｗ）として登録するようになっている。点検データ共有化部１０６Ｄは、上記実施例と同様に、点検データＤｔを予め登録された帳票テンプレートＴｐに基づいてチェックシートを二次元の座標データ（ｘ、ｙ）に変換して関連付けし、帳票イメージＣｒ−ｉを表示する帳票形式チェックシートＣｒを作成して、設備の点検項目が電子情報で記載されたリスト形式で表示されるリスト形式チェックシートＣｅと帳票イメージＣｒ−ｉで表示される帳票形式チェックシートＣｒとをそれぞれ表示形式が異なるチェックシートとして登録部１０６Ｅを通じてデータベース１０６Ａに登録するようになっている。
【００５４】
センターサーバ１０４のチェックシート送信部１０６Ｈは、携帯端末１０５から通信を通じて点検対象設備の特定情報ＩＤｆが入力されると、データベース１０６Ａから当該点検対象設備特定情報に基づいて設備の点検データＤｔを検索し登録されたチェックシートＣｅ、Ｃｒを携帯端末１０５に通信を通じて送信するようになっている。
【００５５】
また、携帯端末１０５は、中央演算処理装置（ＣＰＵ）と表示入力部（表示部、入力部）１０７Ａと記憶部（メモリ）１０７Ｂと通信部１０７Ｃと撮像部１０７Ｄとを備えるとともに、表示切り替え部（表示切り替え手段）１０７Ｅと点検結果送信部（点検結果送信手段）１０７Ｆと点検対象設備特定情報送信部（点検対象設備特定情報送信手段）１０７Ｇとを備えて構成される。表示切り替え部１０７Ｅは、上記第１の実施例と同様に、センターサーバ１０４から受け取った表示形式が異なるチェックシートＣｅ、Ｃｒ（Ｃｒ−ｉ）を切り替え自在に表示入力部１０７Ｂに表示させるようになっている。点検結果送信部１０７Ｆは、作業員Ｗにより表示入力部１０７Ａを通じて表示入力部１０７Ａに表示されたチェックシートＣｅ、Ｃｒ−ｉに点検結果Ｒ、ｒが入力されると、点検結果Ｒ、ｒが書き込まれたチェックシートＣｅｗ、Ｃｒ−ｉｗをセンターサーバ１０４に通信を通じて送信するようになっている。
【００５６】
携帯端末１０５の点検対象設備特定情報送信部１０７Ｇは、作業員Ｗが表示入力部１０７Ａを通じて点検対象設備の設備を特定する設備の特定情報ＩＤｆを入力するとこの設備の特定情報ＩＤｆをセンターサーバ１０４に通信を通じて送信するようになっている。
【００５７】
本発明の第２の実施例に係る作業支援システム１０２は、上述の如く構成されているので、この作業支援システム１０２を用いた作業支援方法は、まず、管理者Ｍによりセンターサーバ１０４に施設の設備に関する点検データＤｔが入力されると、点検データ共有化部１０６Ｄによりこの点検データＤｔを表示形式が異なるチェックシートＣｅ、Ｃｒに変換して設備情報と関連付けし登録部１０６Ｅを通じてデータベース１０６Ａに予め登録する（図１０の第１のステップＳ１０１参照）。次に、作業員Ｗが携帯端末１０５を通じて点検対象設備を特定する設備の特定情報ＩＤｆをセンターサーバ１０４に通信により送信すると、センターサーバ１０４は当該点検対象設備の点検データＤｔを検索して該当する表示形式が異なるチェックシートＣｅ、Ｃｒを携帯端末１０５に通信により送信する。携帯端末１０５は、センターサーバ１０４からチェックシートＣｅ、Ｃｒを受け取ると、表示形式が異なるチェックシートＣｅ、Ｃｒ（Ｃｒ−ｉ）を切り替え自在に表示させる（図１０の第２のステップＳ１０２参照）。次に、作業員Ｗにより携帯端末１０５の表示入力部１０７Ａを通じて所望の表示形式のチェックシートＣｅまたはＣｒ−ｉが選択されると、携帯端末１０５の表示入力部１０７Ａには、選択された所望の表示形式のチェックシートＣｅまたはＣｒ−ｉが表示される。作業員Ｗが表示された所望の表示形式のチェックシートＣｅまたはＣｒ−ｉの点検項目に点検結果Ｒまたはｒを入力し終わると、作業員Ｗは点検結果Ｒまたはｒが書き込まれたチェックシートＣｅｗまたはＣｒ−ｉｗを携帯端末１０５からセンターサーバ１０４に通信により送信する。センターサーバ１０４は受け取った点検結果ＣｅｗまたはＣｒ−ｉｗをチェックシートＣｅ、Ｃｒに反映させて点検結果データＤｔｗ（Ｃｅｗ、Ｃｒ−ｅｗ）としてデータベース１０６Ａに登録するようになっている（図１０の第３のステップＳ１０３参照）。このように、本実施例に係る作業支援システム１０２およびこの作業支援システム１０２を用いた作業支援方法では、センターサーバ１０４と携帯端末１０５とが通信を通じてデータを遣り取りするようになっているので、作業者Ｗが、管理センター３まで行かなくとも、例えば、点検作業対象設備の設置場所やその近傍でチェックシートを入手することができる。
【実施例３】
【００５８】
次に、本発明の第３の実施例に係る作業支援システム２０２について説明する。本発明の第３の実施例に係る作業支援システム２０２は、図１１および図１２に示すように、上記第１および第２の実施例が、管理センター３側に設置されたセンターサーバ４、１０４と、このセンターサーバ４、１０４と電気的にまたは通信によりデータを遣り取り可能に接続された携帯端末５、１０５とを備えて構成されるのに対し、センターサーバが関与せず、携帯端末２０５単独で表示形式が異なるチェックシートを選択的に表示させ、所望の形式のチェックシートに点検結果を書き込んで登録し、情報処理できるようにした点が異なっている。
【００５９】
すなわち、第３の実施例に係る作業支援システム２０２は、携帯端末２０５を備えて構成され、携帯端末２０５は上記第１および第２の実施例と同様に、多機能携帯電話またはノート型パソコン等の携帯タイプのパーソナルコンピュータやモバイル端末により構成される。携帯端末２０５は中央演算処理装置（ＣＰＵ）と表示入力部（表示手段および入力手段）２０７と記憶部（記憶手段）２０８と通信部２０９と撮像部（撮像手段）２１０とを備えて構成される。また、携帯端末２０５は、チェックシート検索部（チェックシート検索手段）２１１と点検データ共有化部（点検データ共有化手段）２１２と登録部（登録手段）２１３と表示切り替え部２１４と点検結果送信部２１５と電子承認部２１６と電子編集部２１７とを備えている。チェックシート検索部２１１は、表示入力部２０７から設備を特定する点検対象設備特定情報ＩＤｆが入力されると、記憶部２０８に登録された設備情報に基づいて該当する表形式が異なるチェックシートＣｅ、Ｃｒを検索して表示入力部２０７の画面に表示させるようになっている。点検データ共有化部２１２は、外部から施設の設備について点検項目が電子情報で記載された点検データＤｔが入力されると、この点検データＤｔを予め登録された帳票テンプレートＴｐに基づいてチェックシートを二次元の座標データ（ｘ、ｙ）に変換して関連付けし表示入力部２０７の画面に帳票イメージのチェックシートＣｒ−ｉで表示される帳票形式チェックシートＣｒを作成し、設備の点検項目が電子情報で記載されたリスト形式で表示されるリスト形式チェックシートＣｅと帳票イメージのチェックシートＣｒ−ｉで表示される帳票形式チェックシートＣｒとをそれぞれ表示形式が異なるチェックシートとして登録部２１３を通じて記憶部２０８に登録するようになっている。
【００６０】
携帯端末２０５の登録部２１３は、外部から点検データＤｔが入力されると、点検データＤｔを設備の特定情報と関連付けするとともに、点検データ共有化部２１２ら受け取ったチェックシートＣｅ、Ｃｒ（Ｃｒ−ｉ）を設備と関連付けして記憶部２０８に登録するようになっている。また、登録部２１３は、表示入力部２０７を通じてリスト形式チェックシートＣｅの点検項目に点検結果Ｒが書き込まれた点検結果入力済みチェックシートＣｅｗを受け取ると、点検結果データＤｔｗ（Ｃｅｗ）として記憶部２０８に登録するようになっている。さらに、登録部２１３は、表示入力部２０７を通じて帳票イメージのチェックシートＣｒ−ｉの点検項目に点検結果ｒが書き込まれた点検結果入力済み帳票形式チェックシートＣｒ−ｉｗを受け取ると、帳票イメージのチェックシートＣｒ−ｉに関連付けされた帳票形式チェックシートＣｒに点検結果ｒを反映させて、点検結果データＤｔｗ（Ｃｒ−ｅｗ）として記憶部２０８に登録するようになっている。すなわち、上記第１第２の実施例と同様に、帳票イメージのチェックシートＣｒ−ｉの点検項目は座標データ（ｘ，ｙ）を介して電子情報で記載された帳票形式チェックシートＣｒの点検項目に対応するようになっており、点検結果ｒが帳票形式チェックシートＣｒに反映されるようになっている。このため、登録部２１３は、リスト形式チェックシートＣｅの点検結果データＣｅｗも帳票イメージのチェックシートＣｒ−ｉに関連付けされた帳票形式チェックシートＣｒの点検結果データＣｒ−ｅｗも電子情報で一元化して点検結果データＤｔｗとして記憶部２０８に登録するようになっている。つまり、点検結果データＤｔｗ（Ｃｅｗ）、Ｄｔｗ（Ｃｒ−ｅｗ）はいずれも電子情報データとして一元化されて記憶部２０８に登録される。このように、登録部２１３は、点検データ共有化部２１２から表示形式が異なるチェックシートＣｅ、Ｃｒを受け取ると、これらチェックシートＣｅ、Ｃｒを点検項目チェックシートとして、設備の特定情報と関連付けして記憶部２０８にまず登録し、表示入力部２０７からチェックシートＣｅ、Ｃｒ−ｉの点検項目に点検結果Ｒ、ｒが書き込まれた点検結果Ｃｅｗ、Ｃｒ−ｉｗを受け取ると、点検結果Ｃｅｗは点検結果データとしてそのまま、点検結果Ｃｒ−ｉｗは変換された座標データ（ｘ、ｙ）を復元した上で点検結果データＣｒ−ｅｗとして電子情報に一元化し、これらを点検結果データＤｔｗとして記憶部２０８に登録するようになっている。こうして、登録部２１３は、点検データＤｔの点検結果データＤｔｗを含む設備の管理情報を記憶部２０８に登録するようになっている。
【００６１】
携帯端末２０５の表示切り替え部２１４は、作業員Ｗにより表示入力部２０７を通じて形式が異なるチェックシートＣｅ、Ｃｒ−ｉの表示の切り替えを指示する指示情報が入力されると、所望のチェックシートＣｅまたはＣｒ−ｉに表示を切り替えるようになっている。点検結果送信部２１４は、登録部２１３により記憶部２０８に登録された点検データＤｔの点検結果データＤｔｗを含む設備の管理情報を外部に送信するようになっている。電子承認部２１６は、登録部２１３から点検結果Ｒ、ｒが書き込まれたチェックシートＣｅｗ、Ｃｒ−ｅｗを受け取ると、受け取ったチェックシートＣｅｗ、Ｃｒ−ｅｗに電子承認を付与し電子承認が付与されたチェックシートＣｅｗ、Ｃｒ−ｅｗを外部に送信するようになっている。電子編集部２１７は、記憶部２０８に登録されたチェックシートＣｅ、Ｃｒ、Ｃｅｗ、Ｃｒ−ｅｗに対し、作業者Ｗからの指示に基づき点検項目の増減または点検順序の並び替えができるようになっている。登録部２１３は電子編集部２１７により編集されたチェックシートＣｅ、Ｃｒ、Ｃｅｗ、Ｃｒ−ｅｗを記憶部２０８に登録するようになっている。
【００６２】
次に、上記第３の実施例に係る作業支援システムを用いた作業支援方法について、第３の実施例に係る作業支援システム２０２の作用に基づいて説明する。まず、携帯端末２０５には、予め外部から施設の各設備に関する点検データＤｔが入力される。携帯端末２０５に点検データＤｔが入力されると、点検データ共有化部２１２は、この点検データＤｔを予め登録された帳票テンプレートＴｐに基づいてチェックシートを二次元の座標データ（ｘ、ｙ）に変換して関連付けし表示部には帳票イメージのチェックシートＣｒ−ｉで表示される帳票形式チェックシートＣｒを作成し、設備の点検項目が電子情報で記載されたリスト形式で表示されるリスト形式チェックシートＣｅと帳票イメージのチェックシートＣｒ−ｉで表示される帳票形式チェックシートＣｒとをそれぞれ表示形式が異なる点検項目チェックシートとして登録部２１３を通じて記憶部２０８に登録する（図１２の第１のステップＳ２０１参照）。次に、作業員Ｗが点検対象の設備を確認し、表示入力部２０７を通じて点検作業対象設備を特定する点検対象設備の特定情報ＩＤｆを入力すると、チェックシート検索部２１１は当該点検対象設備のチェックシートＣｅ、Ｃｒ−ｉを検索して表示入力部２０７に両チェックシートＣｅ、Ｃｒ−ｉを選択可能に表示させる（図１２の第２のステップＳ２０２参照）。次に、作業員Ｗが表示入力部２０７に表示されたチェックシート切り替え画面で、例えば、図７の（Ａ）または（Ｂ）に示すように、希望する表示形式のチェックシートＣｅ、Ｃｒ−ｉを選択すると、そのチェックシートＣｅまたはＣｒ−ｉが表示されるようになっている。
【００６３】
次に、携帯端末２０５の表示入力部２０７にリスト形式チェックシートＣｅが表示されている場合、作業員Ｗが表示されたリスト形式チェックシートＣｅに対し、点検項目毎の点検結果をタッチペンまたは指でタッチしてチェックシートＣｅに入力すると、点検項目毎に点検された点検結果Ｒがリスト形式チェックシートＣｅに書き込まれ、点検結果の書き込みが完了し、作業員Ｗが点検結果書き込み完了の指令信号を入力すると、点検結果Ｒが書き込まれたリスト形式チェックシートＣｅｗが登録部２１３を通じて記憶部２０８に登録される。
【００６４】
一方、携帯端末２０５の表示入力部２０７に帳票イメージのチェックシートＣｒ−ｉが表示されている場合、作業員Ｗが表示された帳票イメージのチェックシートＣｒ−ｉに対し、点検項目毎の点検結果をタッチペンまたは指でタッチしてチェックシートＣｒ−ｉの点検項目欄に入力すると、点検項目毎に点検された点検結果が関連付けられた帳票形式チェックシートＣｒに書き込まれ、点検結果の書き込みが完了し、作業員Ｗが点検結果書き込み完了の指令信号を入力すると、点検結果が書き込まれ電子データに一元化された帳票形式チェックシートＣｒ−ｅｗが登録部２１３を通じて記憶部２０８に登録される（図１２の第３のステップＳ２０３参照）。これらチェックシートＣｅｗ、Ｃｒ−ｅｗは携帯端末２０５の中央演算処理装置により情報処理され、作業者Ｗにより保守管理に供される。また、点検結果送信部２１５は、登録部２１３により記憶部２０８に登録された点検データＤｔの点検結果データＤｔｗを含む設備の管理情報を外部に送信するようになっているので、外部のクライアント端末から管理情報提供の求めがあった場合には、管理情報をクライアント端末に送信できるようになっている。このため、当該携帯端末２０５を携帯している作業者Ｗに代わって他の作業者が点検作業を行うことができる。
【００６５】
このように、上記第３の実施例に係る作業支援システム２０２による作業支援方法は、如上の如く構成されているので、点検対象設備のチェックシートがたとえ表示形式が異なる紙に書き込む帳票タイプであっても、電子情報で記載されたリスト形式のタイプであっても、携帯端末２０５の画面に選択的に表示されるので、作業者Ｗが点検作業に慣れた形式のチェックシートを携帯端末の画面を自在に切り替えて表示させ、点検結果を入力することができ、点検作業を容易に行うことができる。また、点検結果は一元化された点検結果データとして登録されるので、情報処理の作業が効率化される。
【００６６】
なお、上記実施例では、一例として施設の設備に対する点検項目について述べているが、これに限られるものではなく、屋外での工事や作業（例えば、鉄塔における工事や作業）、機器の検査結果、機器の実験結果、現場で日報を使用する場合等、多種の用途に適用可能である。また、上記実施例では、センターサーバ４Ａ、４Ｂはそれぞれ、ノート型パソコンの実行系のメインサーバ４Ａとデータをバックアップする待機系サブサーバ４Ｂとから構成されているが、これに限られるものではなく、センターサーバを、管理者Ｍにより操作されるクライアント端末と電気的に接続されたデスクトップ型またはノート型のパソコンとしてもよい。さらに、上記第１ないし第３の実施例では、管理者が点検データＤｔを作成し、センターサーバ４、１０４に入力して登録するようにしているがこれに限られるものではなく、作業員Ｗが作成して入力するようにしてもよいし、外部で作成された点検データＤｔをダウンロードするようにしてもよい。
【符号の説明】
【００６７】
２  作業支援システム
３  管理センター
４  センターサーバ
５  携帯端末
６Ａ  データベース
６Ｅ  登録部（登録手段）
７Ａ  表示入力部（表示部、入力部）
７Ｅ  表示切り替え部（表示切り替え手段）
７Ｆ  点検結果送信部（点検結果送信手段）
Ｃｅ、Ｃｒ  チェックシート
Ｃｅｗ、Ｃｒ−ｉｗ  点検結果が書き込まれたチェックシート
Ｄｔ  点検データ
Ｄｔｗ  点検結果データ
Ｒ、ｒ  点検結果
Ｗ  作業員
【図１】
2015049828.tif 000003
【図２】
2015049828.tif 000004
【図３】
2015049828.tif 000005
【図４】
2015049828.tif 000006
【図５】
2015049828.tif 000007
【図６】
2015049828.tif 000008
【図７】
2015049828.tif 000009
【図８】
2015049828.tif 000010
【図９】
2015049828.tif 000011
【図１０】
2015049828.tif 000012
【図１１】
2015049828.tif 000013
【図１２】
2015049828.tif 000014